(57)【要約】      （修正有）【課題】利便性がよく、安定性を増加させた吊下げ式テーブル用展開・収納構造体を提供する。【解決手段】支持枠１１と、支持枠に枢着されるプレート２０と、支持枠の上端に位置し建築構造体に固定される吊下げロック構造３０と、を含み、支持枠の上端に吊下げアーム１１１が設けられ、吊下げアームは、吊下げロック構造と連結することにより、建築構造体の力受け上縁５１にロックされる吊下げ式テーブル用展開・収納構造体において、プレートの背面に負荷リブ２２が設けられ、負荷リブと支持枠の間に、展開・収納構造４０が少なくとも一つ枢着され、展開・収納構造は、負荷リブに枢着される第１旋回枠４１と、支持枠の下縁に枢着される第２旋回枠４２と、を含み、第１旋回枠は、突起部と、可動連結枢着軸と、を有し、第２旋回枠は、収容空間と、枢着軸ガイドレールと、を有する。【選択図】図１
0003199422.tif 000002
【実用新案登録請求の範囲】
【請求項１】
支持枠と、前記支持枠に枢着されているプレートと、前記支持枠の上端に位置し、建築構造体に固定されている吊下げロック構造と、を含み、前記支持枠の上端に吊下げアームが設けられており、前記吊下げアームは、前記吊下げロック構造と連結することにより、前記建築構造体の力受け上縁にロックされている吊下げ式テーブル用展開・収納構造体において、
前記プレートの背面に負荷リブが設けられており、前記負荷リブと前記支持枠の間には、展開・収納構造が少なくとも一つ枢着されており、前記展開・収納構造は、前記負荷リブに枢着されている第１旋回枠と、前記支持枠の下縁に枢着されている第２旋回枠と、を含み、
前記第１旋回枠は、前記第２旋回枠と係止可能な突起部と、前記第２旋回枠に枢着されている可動連結枢着軸２と、を有し、
前記第２旋回枠は、前記第１旋回枠の展開又は収納を可能にする収容空間と、前記可動連結枢着軸のスライドを可能にする枢着軸ガイドレールと、を有すること
を特徴とする吊下げ式テーブル用展開・収納構造体。
【請求項２】
前記可動連結枢着軸の少なくとも一端に枢着軸ツマミが設けられており、前記第２旋回枠に係り位置決め部材が枢着されており、前記係り位置決め部材には、前記枢着軸ツマミと係合可能な係り位置決め溝が設けられていることを特徴とする、請求項１に記載の吊下げ式テーブル用展開・収納構造体。
【請求項３】
前記第２旋回枠には、更に、前記第１旋回枠と前記突起部とを挿入して固定する力受けブロックが設けられていることを特徴とする、請求項１又は２に記載の吊下げ式テーブル用展開・収納構造体。
【考案の詳細な説明】
【技術分野】
【０００１】
本考案は、吊下げ式テーブルに関し、特に、吊下げ式テーブル用展開・収納構造体に関するものである。
【背景技術】
【０００２】
国民の生活レベルの向上に従って、生活の快適性が益々重視されている。このため、庭園、公園やバルコニーには、盆栽、ランプやティーセットなどを置くために、手すりにテーブルを設けることが一般的となる。
【０００３】
手すりにテーブルを設けるものとして、特許文献１の米国特許ＵＳ８，８５７，３４７号の「収納可能な吊下げ式テーブル」がある。このような吊下げ式テーブルは、力受け上縁を有する建築構造体に吊下げ、プレートと、吊下げ構造と、収納部材と、を含む。前記吊下げ構造は、前記プレートに枢着されている支持枠と、前記支持枠と連接し、前記建築構造体の前記力受け上縁を跨る吊下げアームと、を含む。前記収納部材は、前記プレートに枢着されている旋回フレームと、前記支持枠と前記旋回フレームとにそれぞれ枢着されている連動部材と、を含む。前記連動部材は、前記旋回フレームの前記プレートに対する相対的な旋回を制限する固定部と、前記固定部と連接し、前記固定部を前記旋回フレームから離脱して前記旋回フレームが旋回可能となる駆動部と、を含む。これにより、前記プレートの支持力を増強可能であり、収納することも可能である。しかし、このような吊下げ式テーブルは、前記プレートを展開又は収納するための構造が複雑であるため、利便性がよくない。そして前記プレートを展開する状態では、安定性を保持するための構造がない。これにより、展開される前記プレートに不意に衝突して、前記プレートが上下動すると、前記プレートが自動的に収納するため、前記プレートの上に搭載された品物が落下して損壊する問題があった。
【先行技術文献】
【特許文献】
【０００４】
【特許文献１】米国特許ＵＳ８，８５７，３４７号公報
【考案の概要】
【考案が解決しようとする課題】
【０００５】
本考案の主な目的は、利便性がよく、安定性が増加する吊下げ式テーブル用展開・収納構造体を提供することにある。
【課題を解決するための手段】
【０００６】
本考案の吊下げ式テーブル用展開・収納構造体によると、支持枠と、支持枠に枢着されているプレートと、支持枠の上端に位置し、建築構造体に固定されている吊下げロック構造と、を含み、支持枠の上端に吊下げアームが設けられており、吊下げアームは、吊下げロック構造と連結することにより、建築構造体の力受け上縁にロックされている吊下げ式テーブル用展開・収納構造体において、プレートの背面に負荷リブが設けられており、負荷リブと支持枠の間には、展開・収納構造が少なくとも一つ枢着されており、展開・収納構造は、負荷リブに枢着されている第１旋回枠と、支持枠の下縁に枢着されている第２旋回枠と、を含み、第１旋回枠は、第２旋回枠と係止可能な突起部と、第２旋回枠に枢着されている可動連結枢着軸と、を有し、第２旋回枠は、第１旋回枠の展開又は収納を可能にする収容空間と、可動連結枢着軸のスライドを可能にする枢着軸ガイドレールと、を有することを特徴とする。
【０００７】
本考案の吊下げ式テーブル用展開・収納構造体によると、可動連結枢着軸の少なくとも一端に枢着軸ツマミが設けられており、第２旋回枠に係り位置決め部材が枢着されており、係り位置決め部材には、枢着軸ツマミと係合可能な係り位置決め溝が設けられていることを特徴とする。
【０００８】
本考案の吊下げ式テーブル用展開・収納構造体によると、第２旋回枠には、更に、第１旋回枠と突起部とを挿入して固定する力受けブロックが設けられていることを特徴とする。
【考案の効果】
【０００９】
本考案の吊下げ式テーブル用展開・収納構造体によれば、次のような効果がある。
（１）迅速で容易にプレートを展開して利用可能であり、そして迅速で容易にプレートを収納することも可能である。
（２）枢着軸ツマミに係り位置決め部材を係合することにより、展開されるプレートの安定性が増加する。
【図面の簡単な説明】
【００１０】
【図１】本考案の実施形態の展開状態を示す斜視図である。
【図２】図１における一部を示す分解斜視図である。
【図３】図２における展開・収納構造が展開された状態を示す図である。
【図４】図３における係り位置決め部材を旋回して枢着軸ツマミと係合する状態を示す図である。
【図５】図１の収納状態を示す斜視図である。
【図６】図５の右側から見た側面図である。
【図７】図６におけるプレートを展開する連続動作を示す図である。
【図８】図６におけるプレートを展開する連続動作を示す図である。
【図９】図６におけるプレートを展開する連続動作を示す図である。
【図１０】図６におけるプレートを展開する連続動作を示す図である。
【考案を実施するための形態】
【００１１】
以下、本考案の実施の形態を図面に基づいて説明する。
【００１２】
図１から図５を参照する。図１は本考案の実施形態の展開状態を示す斜視図であり、図２は図１における一部を示す分解斜視図であり、図３は図２における展開・収納構造が展開された状態を示す図であり、図４は図３における係り位置決め部材を旋回して枢着軸ツマミと係合する状態を示す図であり、図５は図１の収納状態を示す斜視図である。
【００１３】
本考案に係る吊下げ式テーブル用展開・収納構造体の吊下げ式テーブル１０は、支持枠１１と、支持枠１１に枢着されているプレート２０と、支持枠１１の上端に位置し、建築構造体５０に固定されている吊下げロック構造３０と、を含む（これは、従来の技術と同じである）。支持枠１１の上端に吊下げアーム１１１が設けられている。吊下げアーム１１１は、吊下げロック構造３０と連結することにより、建築構造体５０の力受け上縁５１にロックされている。
【００１４】
プレート２０の背面に負荷リブ２２が設けられている。負荷リブ２２と支持枠１１の間には、展開・収納構造４０が少なくとも一つは枢着されている。展開・収納構造４０は、負荷リブ２２に枢着されている第１旋回枠４１と、支持枠１１の下縁に枢着されている第２旋回枠４２と、を含む。第１旋回枠４１は、第２旋回枠４２と係止可能な突起部４１１と、第２旋回枠４２に枢着されている可動連結枢着軸４１２と、を有する。第２旋回枠４２は、第１旋回枠４１の展開又は収納を可能にする収容空間４２１と、可動連結枢着軸４１２のスライドを可能にする枢着軸ガイドレール４２２と、を有する。突起部４１１により、プレート２０を水平にすることが可能であり、第１旋回枠４１と第２旋回枠４２とを迅速に係合することが可能であり、そしてプレート２０の上に搭載された品物を支持することも可能である。
【００１５】
本実施形態では、可動連結枢着軸４１２の少なくとも一端に枢着軸ツマミ４１３が設けられている。第２旋回枠４２に係り位置決め部材４３が枢着されている。係り位置決め部材４３には、枢着軸ツマミ４１３と係合可能な係り位置決め溝４３１が設けられている。特に、第２旋回枠４２には、更に、第１旋回枠４１と突起部４１１とを挿入して固定する力受けブロック４２３が設けられている。力受けブロック４２３は、力を受けるため、堅実で丈夫な材料を採用することが必要である。
【００１６】
また、プレート２０は枢着端２１を有する。枢着端２１は、支持枠１１に枢着されている少なくとも二つの枢着軸２１１を有する。特に、第１旋回枠４１に第１弾性パッド４１４が設けられている。第１弾性パッド４１４により、収納時に第１旋回枠４１とプレート２０の背面との衝撃力を緩衝可能である。第２旋回枠４２に第２弾性パッド４２４が設けられている。第２弾性パッド４２４により、収納時に第２旋回枠４２と第１旋回枠４１との衝撃力を緩衝可能である。
【００１７】
図５から図１０を参照する。図６は図５を右側から見た側面図であり、図７〜図１０は図６におけるプレートを展開する連続動作を示す図である。
【００１８】
図６に示すように、吊下げ式テーブル１０のプレート２０を下方に旋回して収納するときには、第１旋回枠４１に設けられている第１弾性パッド４１４がプレート２０の背面に当接し、第２旋回枠４２に設けられている第２弾性パッド４２４が第１旋回枠４１に当接する。このとき、第２旋回枠４２に枢着されている係り位置決め部材４３が枢着軸ツマミ４１３と係合していない。
【００１９】
このため、図７に示すように、プレート２０を時計方向に旋回すると、プレート２０が枢着端２１を有し、枢着端２１が二つの枢着軸２１１によって支持枠１１と枢着するため、枢着軸２１１により、プレート２０が支持枠１１に対して旋回可能である。これにより、第１旋回枠４１と第２旋回枠４２との枢着箇所が左下方へ移動する。このとき、可動連結枢着軸４１２が枢着軸ガイドレール４２２をスライドし、図８に示すように、突起部４１１が第２旋回枠４２の最上縁に移動する。プレート２０を水平位置を超えてさらに上方に旋回させると、突起部４１１も旋回して力受けブロック４２３に合わさる。
【００２０】
そして、プレート２０がほぼ水平になるように、プレート２０を反時計方向に旋回して戻す。図９に示すように、突起部４１１が力受けブロック４２３と係合して位置決めがされる。このとき、プレート２０が完全に展開され、可動連結枢着軸４１２の枢着軸ツマミ４１３が枢着軸ガイドレール４２２の下方に移動する。
【００２１】
本実施形態では、係り位置決め部材４３の係り位置決め溝４３１を枢着軸ツマミ４１３に旋回して係合すると、プレート２０の展開の安定性を確保することが可能である。なお、プレート２０を収納したいときには、上記のステップを逆に行うと、プレート２０を収納できるため、説明を省略する。
【産業上の利用可能性】
【００２２】
本考案は、吊下げ式テーブルに適用することができる。
【符号の説明】
【００２３】
１０  吊下げ式テーブル
１１  支持枠
２０  プレート
２１  枢着端
２２  負荷リブ
３０  吊下げロック構造
４０  展開・収納構造
４１  第１旋回枠
４２  第２旋回枠
４３  係り位置決め部材
５０  建築構造体
５１  力受け上縁
１１１  吊下げアーム
２１１  枢着軸
４１１  突起部
４１２  可動連結枢着軸
４１３  枢着軸ツマミ
４１４  第１弾性パッド
４２１  収容空間
４２２  枢着軸ガイドレール
４２３  力受けブロック
４２４  第２弾性パッド
４３１  係り位置決め溝
【図１】
0003199422.tif 000003
【図２】
0003199422.tif 000004
【図３】
0003199422.tif 000005
【図４】
0003199422.tif 000006
【図５】
0003199422.tif 000007
【図６】
0003199422.tif 000008
【図７】
0003199422.tif 000009
【図８】
0003199422.tif 000010
【図９】
0003199422.tif 000011
【図１０】
0003199422.tif 000012